(57)【要約】【課題】網の端部や網係止部材を室内側から収容しつつ、室内側から操作可能な操作部または把持部を備えた網戸を提供する。【解決手段】室内外を連通する開口を形成する框体と、前記開口を覆う網材と、前記網材を前記框体に取り付けるための網係止部材と、を有する網戸であって、前記網材より室内側に配置される把持部と、前記框体と係合する係合部とを有し、前記框体に対して着脱自在な把持部材を備え、前記框体は、前記開口側となる内周縁に、室内に向かって開放されて前記網材の周端部および前記網係止部材が収容される収容溝部と、見付け方向において前記収容溝部より前記框体の外周側に、前記係合部が係合される被係合部と、を有する。【選択図】図２
2010138603.tif 000002
【特許請求の範囲】
【請求項１】
室内外を連通する開口を形成する框体と、前記開口を覆う網材と、前記網材を前記框体に取り付けるための網係止部材と、を有する網戸であって、
前記網材より室内側に配置される把持部と、前記框体と係合する係合部とを有し、前記框体に対して着脱自在な把持部材を備え、
前記框体は、前記開口側となる内周縁に、室内に向かって開放されて前記網材の周端部および前記網係止部材が収容される収容溝部と、見付け方向において前記収容溝部より前記框体の外周側に、前記係合部が係合される被係合部と、を有することを特徴とする網戸。
【請求項２】
請求項１に記載の網戸であって、
前記被係合部は、前記框体の外周側にて前記把持部材の前記係合部と係合する外周側被係合部と、前記框体の内周側にて前記把持部材の前記係合部と係合する内周側被係合部と、を有し、
前記係合部は、前記外周側被係合部と係合し、前記把持部と反対側の端部でなる先端係合部と、前記内周側被係合部と係合し、前記先端係合部より前記把持部側に設けられた把持部側係合部とを有し、
前記把持部材は、前記外周側被係合部と前記先端係合部とが係合して前記先端係合部の見込み方向の移動が規制され、前記内周側被係合部と前記把持部側係合部とが係合して見付け方向の移動が規制されることを特徴とする網戸。
【請求項３】
請求項２に記載の網戸であって、
前記先端係合部から前記開口側に延出され、前記先端係合部を支点として前記開口側が見込み方向に弾性変形可能な腕部と、見付け方向において前記収容溝部より開口側に突出する前記腕部の先端に設けられた操作部と、を有し、
前記把持部側係合部は、前記腕部から室外側に突出させて設けられ、
前記操作部が室内側に操作されて前記腕部が弾性変形することにより、前記内周側被係合部との係合が解除されることを特徴とする網戸。
【請求項４】
請求項２または請求項３に記載の網戸であって、
前記内周側被係合部は、前記収容溝部を形成し見付け方向に間隔を隔てて設けられた一対の壁部のうちの外周側に位置する壁部であることを特徴とする網戸。
【請求項５】
請求項１乃至請求項４のいずれかに記載の網戸であって、
前記収容溝部を形成する一対の壁部のうちの前記開口側の壁部の先端は室内側に膨らむ曲面をなし、前記操作部の前記壁部の先端と対向する部位は室内側に窪む曲面をなして互いに間隔を隔てていることを特徴とする網戸。
【発明の詳細な説明】
【技術分野】
【０００１】
本発明は、矩形状に枠組みされた框体が形成する開口を覆う網材が網係止部材にて取り付けられた網戸に関する。
【背景技術】
【０００２】
従来、框体の開口を覆う網材が網係止部材にて取り付けられた網戸としては、例えば、網の端部を収容する凹溝を備えたアルミ押出形材からなる左右の縦框と上下の横框とを四周框組し、網の端部を網係止部材（ビード）により凹溝に収容して張設した網戸が知られている（例えば、特許文献１参照）。このような網戸は、凹溝が室外側に開放されており、網は網係止部材により室外側から収容されている。また、網の室外側には、手を掛けて網戸を摺動させるための開口部を有する干渉防止ブロックが、室外側からビスにて固定されている。
【特許文献１】特開平１０−３０６６６７号公報
【発明の開示】
【発明が解決しようとする課題】
【０００３】
しかしながら、上記のような従来の網戸は、建具の最も室外側に配置されるため、凹溝および凹溝に収容された網の端部や網係止部材が、室外側に露出するため室外側からの意匠性が損なわれる。また、凹溝を室内側に開放させて網の端部や網係止部材を室内側から収容する場合には、室内側から操作する上記干渉防止ブロックの如き操作部や把持部が凹溝の室内側に位置するため、網を張設することができないという課題があった。  
本発明は、かかる課題に鑑みてなされたものであり、その目的とするところは、網の端部や網係止部材を室内側から収容しつつ、室内側から操作可能な操作部または把持部を備えた網戸を提供することにある。
【課題を解決するための手段】
【０００４】
かかる目的を達成するために本発明の網戸は、室内外を連通する開口を形成する框体と、前記開口を覆う網材と、前記網材を前記框体に取り付けるための網係止部材と、を有する網戸であって、前記網材より室内側に配置される把持部と、前記框体と係合する係合部とを有し、前記框体に対して着脱自在な把持部材を備え、前記框体は、前記開口側となる内周縁に、室内に向かって開放されて前記網材の周端部および前記網係止部材が収容される収容溝部と、見付け方向において前記収容溝部より前記框体の外周側に、前記係合部が係合される被係合部と、を有することを特徴とする網戸である。  
このような網戸によれば、網材の周端部及び網係止部材が収容される収容溝部は室内側に向かって開放されているので、網材の周端部及び網係止部材は室外側に露出しない。このため、網戸の室外側からの意匠性を高めることが可能である。また、把持部材は、網材より室内側にて框体に着脱自在に設けられているので、網材を張設する際には取り外し、張設した後に取り付けることにより、室内側から操作可能な把持部を備えつつ網材を容易に張設することが可能である。
【０００５】
かかる網戸であって、前記被係合部は、前記框体の外周側にて前記把持部材の前記係合部と係合する外周側被係合部と、前記框体の内周側にて前記把持部材の前記係合部と係合する内周側被係合部と、を有し、前記係合部は、前記外周側被係合部と係合し、前記把持部と反対側の端部でなる先端係合部と、前記内周側被係合部と係合し、前記先端係合部より前記把持部側に設けられた把持部側係合部とを有し、前記把持部材は、前記外周側被係合部と前記先端係合部とが係合して前記先端係合部の見込み方向の移動が規制され、前記内周側被係合部と前記把持部側係合部とが係合して見付け方向の移動が規制されることが望ましい。  
このような網戸によれば、把持部側係合部が内周側被係合部と係合して把持部材の見付け方向の移動が規制され、また、把持部材の把持部と反対の先端係合部は外周側被係合部と係合して前記先端係合部の見込み方向の移動が規制されているので、把持部材は見付け方向にも見込み方向にも移動が規制される。このため、把持部材を開口側から框体の外周側へ移動させせるだけで、把持部材を容易に、かつ、確実に框体に取り付けることが可能である。
【０００６】
かかる網戸であって、前記先端係合部から前記開口側に延出され、前記先端係合部を支点として前記開口側が見込み方向に弾性変形可能な腕部と、見付け方向において前記収容溝部より開口側に突出する前記腕部の先端に設けられた操作部と、を有し、前記把持部側係合部は、前記腕部から室外側に突出させて設けられ、前記操作部が室内側に操作されて前記腕部が弾性変形することにより、前記内周側被係合部との係合が解除されることが望ましい。  
このような網戸によれば、室外側に突出する把持部側係合部が設けられている腕部は、先端係合部を支点として開口側が見込み方向に弾性変形可能なので、腕部の弾性変形により把持部側係合部を見込み方向に移動させることが可能である。このため、腕部の先端に設けられた操作部を室内側に移動させることにより、内周側被係合部と把持部側係合部との係合を容易に解除することが可能である。
【０００７】
かかる網戸であって、前記内周側被係合部は、前記収容溝部を形成し見付け方向に間隔を隔てて設けられた一対の壁部のうちの外周側に位置する壁部であることが望ましい。  
このような網戸によれば、開口側となる内周縁に設けられた収容溝部を形成し見付け方向に間隔を隔てて設けられた一対の壁部のうちの外周側に位置する壁部と把持部側係合部とが係合し、先端係合部が外周側被係合部と係合している。このため、把持部側係合部の係合を解除する際に弾性変形する腕部の支点となる先端係合部と把持部側係合部との間隔を最も離れた位置に配置することが可能である。このため、把持部側係合部と内周側被係合部との係合量を大きくしつつも、腕部の弾性変形により把持部側係合部と内周側被係合部との係合を解除することが可能である。
【０００８】
かかる網戸であって、前記収容溝部を形成する一対の壁部のうちの前記開口側の壁部の先端は室内側に膨らむ曲面をなし、前記操作部の前記壁部の先端と対向する部位は室内側に窪む曲面をなして互いに間隔を隔てていることが望ましい。  
このような網戸は、網材及び網係止部材が収容される収容溝部における開口側の壁部の先端は、先端の周面に沿って網材が巻き付けられる。このとき、収容溝部における開口側の壁部の先端は、室内側に膨らむ曲面をなしているので、先端の周面にはエッジ部分が存在しない。このため、網材が先端の周面に当接されても損傷することを防止することが可能である。また、操作部の、収容溝部における開口側の壁部の先端と対向する部位は、収容溝部における開口側の壁部の先端と互いに間隔を隔てているので、通常は操作部が網材に接触する虞はない。また、操作部の壁部の先端と対向する部位は室内側に窪む曲面をなしているので、誤って操作部が網材に接触したとしても網材を損傷することを防止することが可能である。
【発明の効果】
【０００９】
本発明によれば、網の端部や網係止部材を室内側から収容しつつ、室内側から操作可能な操作部または把持部を備えた網戸を提供することが可能である。
【発明を実施するための最良の形態】
【００１０】
以下、本発明の一実施形態に係る網戸について図面を参照して説明する。
【００１１】
本実施形態の網戸１は、図１に示すように、室内外を連通する開口２を形成する框体１０と、開口２を覆う網材５と、網材５を框体１０に取り付けるための網係止部材としての網戸ロープ６と、室内側から網戸１を把持するための把持部材２０とを備えている。以下の説明においては、網戸１を室内側から見たときに上下となる方向を上下方向、左右となる方向を左右方向または見付け方向、室内外方向である奥行き方向を見込み方向として示す。また、把持部材２０は単体であっても框体に取り付けられた状態において、上下となる方向を上下方向、左右となる方向を左右方向または見付け方向、室内外方向である奥行き方向を見込み方向として示す。
【００１２】
框体１０は、長手方向に連通する中空をなす押出成形部材でなる４本の框材１１が、両端部を長手方向に対し４５度に切断され、互いに異なる框材１１の端部同士が突き合わされて矩形状に接合されている。以下の説明においては、開口２を形成し矩形状をなす框体１０の内周縁側を内周側または開口２側とし、外周縁側を外周側として説明する。また、４本の框材１１は共通の部材なので、以下では縦框を例に挙げて框体１０及び各框材１１の形状等を説明する。
【００１３】
各框材１１は、図２に示すように、框体１０の開口２側に位置する内周側に、網戸１を取り付けた際に室内側となる方向に向かって開放され、網材５の周端部と網戸ロープ６とが収容される収容溝部１２が形成されている。具体的には、框体１０を構成する各框材１１は、室内に面する室内側壁部１１ａ、室外に面する室外側壁部１１ｂ、及び、室内側壁部１１ａと室外側壁部１１ｂとを見込み方向に連結する側壁部１１ｃ、１１ｄとにて断面が矩形状をなす中空部を形成している。そして、室外側壁部１１ｂは開口２側の側壁部１１ｃより開口２側に延出されており、室外側壁部１１ｂの開口２側の縁部１１ｅに室内側に突出された突出壁部１１ｆを有しており、収容溝部１２は、開口２側の側壁部１１ｃと、室外側壁部１１ｂと、突出壁部１１ｆとで形成されている。収容溝部１２は、見込み方向において框体１０のほぼ中央から室外側に設けられ、突出壁部１１ｆの外周側面には収容溝部１２の内方に向かって突出する突片１１ｇが設けられている。また、突出壁部１１ｆの先端は、収容溝部１２に収容されて張設される網材５を保護するために、水平断面が室内側に膨らむ円弧を描くような曲面に形成されている。
【００１４】
図３に示すように、框体１０の２本の縦框１０ａの開口２側の側壁部１１ｃには、框体１０の上下方向におけるほぼ中央であって、収容溝部１２より室内側に、把持部材２０が挿入されて取り付けられる取付孔１０ｂが設けられている。取付孔１０ｂは、型成形により形成された縦框１０ａの側壁部１１ｄを下に向けた状態にて上方から降下するパンチによりプレス加工される。このとき、加工後の室内側壁部１１ａの上端部に上側の側壁部１１ｃができるだけ残らないように、パンチが室内側壁部１１ａに近接して降下させるべく室内側壁部１１ａ側にはダイを設けず、室内側壁部１１ａをダイの代わりとして使用するダイ無し加工にて取付孔１０ｂを形成する。このため、縦框１０ａの開口２側の側壁部１１ｃの室内側の縁近傍には、ダイ無し加工時に作用する剪断力を低減すべく凹部１０ｃ（図４）が全長に渡って形成されている。
【００１５】
各框材１１の外周側の側壁部１１ｄには、中空部の内側に開口２側に向かって突出され、後述する把持部材２０の先端係合部２１が係合される外周側被係合部としての被係合突起１１ｈが設けられている。被係合突起１１ｈは、見込み方向における取付孔１０ｂの幅とほぼ同じ幅だけ室内側壁部１１ａと間隔を隔てる位置に設けられている。
【００１６】
把持部材２０は、框体１０の取付孔１０ｂに挿入されて框体１０の被係合突起１１ｈと係合する先端係合部２１と、先端係合部２１の上下端部からそれぞれ開口２側に延出された係合部側延出部２２と、例えば網戸１を着脱する際に把持される把持部本体２３と、把持部本体２３の上下端部から先端係合部２１側に延出された把持部側延出部２４と、係合部側延出部２２の先端係合部２１側から把持部側に向かって延出された腕部２５と、腕部２５の先端に設けられた操作部２６と、腕部２５の操作部２６側に室外側に向かって突出されて内周側被係合部としての開口２側の側壁部１１ｃと係合する把持部側係合部２７とを有している。ここで、把持部は把持部本体２３と把持部側延出部２４とを示し、係合部は、先端係合部２１と把持部側係合部２７とを示している。
【００１７】
先端係合部２１の見込み方向の幅は、被係合突起１１ｈと室内側壁部１１ａとの間隔より僅かに狭く形成されている。また、先端係合部２１と、上下に設けられた係合部側延出部２２とは、一体に形成されており上下方向に間隔を隔てた係合部側延出部２２の間に先端係合部２１から延出された腕部２５が設けられている。
【００１８】
腕部２５の延出された先端、すなわち把持部本体２３側の端部には、操作部２６が形成されており、腕部２５は操作部２６が見込み方向に移動すべく先端係合部２１を支点として弾性変形可能に形成されている。
【００１９】
把持部本体２３と、上下に設けられた把持部側延出部２４とは一体に形成されている。また、上側の把持部側延出部２４ａの先端係合部２１側の端部と上側の係合部側延出部２２ａの把持部本体２３側の端部とが、また、下側の把持部側延出部２４ｂの先端係合部２１側の端部と下側の係合部側延出部２２ｂの把持部本体２３側の端部とが、それぞれ連結された連結部２８を有して一体をなし、ほぼ環状に形成されている。
【００２０】
把持部材２０は、連結部２８より先端係合部２１側が框体１０内に挿入されて取り付けられ、操作部２６は連結部２８より僅かに把持部本体２３側に突出するように形成されている。このため、把持部材２０が設けられている部位では、把持部材２０の連結部２８、操作部２６、及び、腕部２５により収容溝部１２が覆われている。また、連結部２８の突出壁部１１ｆと対向する部位は、突出壁部１１ｆの先端の曲面に沿うように、水平断面が室内側に窪む円弧を描くような曲面に形成されて、連結部２８と突出壁部１１ｆの先端との間に僅かに空隙が設けられている。
【００２１】
また、把持部材２０が取り付けられた状態では、先端係合部２１が被係合突起１１ｈと室内側壁部１１ａとの間に挿入され、把持部側係合部２７が、収容溝部１２を構成する外周側の壁部となる、框体１０の開口２側の側壁部１１ｃと係合している。また、腕部２５と框体１０の室内側壁部１１ａとの間には空隙が設けられており、操作部２６を室内側に押圧することにより腕部２５が弾性変形して把持部側係合部２７と開口２側の側壁部１１ｃとの係合が解除されるように構成されている。このとき、腕部２５は、弾性変形して室内側壁部１１ａ側に近接するが、取付孔１０ｂは、縦框１０ａにダイ無し加工にて形成されており、室内側壁部１１ａの開口側２の縁には側壁部１１ｃがほぼ残らないように加工されているため、腕部２５が撓むための空間が十分に確保されている。
【００２２】
本実施形態の網戸１は、矩形状に形成された框体１０の内周側に設けられた収容溝部１２に網材５の周端部が網戸ロープ６とともに挿入されることにより網材５が張設され、網材５が張設された後に、図４に示すように、把持部材２０を框体１０の開口２側から外周側へ移動させて取り付ける。このとき、把持部材２０の先端係合部２１側が取付孔１０ｂに挿入されて先端係合部２１側が被係合突起１１ｈに係合されて先端係合部２１の見込み方向への移動が規制され、把持部側係合部２７が開口２側の側壁部１１ｃに係合されて把持部材２０の見付け方向の移動が規制されることにより、把持部材２０が框体１０に取り付けられる。また、把持部材２０が取り付けられた状態では、室内側壁部１１ａの室内に臨む面と、当該室内側壁部１１ａと隣接する把持部材２０の部位とはほぼ平坦な面を形成するように構成され、上下の把持部側延出部２４は、見付け方向における中央付近から把持部本体２３側に向かって、網材５から離れる方向に湾曲している。
【００２３】
また、網材５が破れたり、網材５を張り替える場合には、図５に示すように、操作部２６を室内側に押圧しつつ把持部材２０を開口２側に引いて把持部材２０を框体１０から取り外す。
【００２４】
本実施形態の網戸１によれば、網材５の周端部及び網戸ロープ６が収容される収容溝部１２は室内側に向かって開放されているので、網材５の周端部及び網戸ロープ６は室外側に露出しない。このため、網戸１の室外側からの意匠性を高めることが可能である。
【００２５】
また、把持部材２０は框体１０に着脱自在に設けられており、網材５より室内側にて、開口２側から框体１０の外周側へ移動されて取り付けられるので、網材５を張設する際には取り外し、張設した後に取り付けることが可能である。このため、把持部本体２３及び把持部側延出部２４でなる把持部が網材５と対向し、把持部側係合部２７が収容溝部１２より框体１０の外周側に設けられた内周側被係合部としての開口２側の側壁部１１ｃと係合して取り付けられる把持部材２０を有する構成であっても、網材５を容易に張設することが可能である。すなわち、室内側から操作可能な把持部本体２３を備えつつ網材５を室内側から張設することが可能な網戸１を提供することが可能である。
【００２６】
また、把持部側係合部２７が側壁部１１ｃと係合して把持部材２０の見付け方向の移動が規制され、また、把持部材２０の把持部本体２３と反対の先端係合部２１は被係合突起１１ｈと係合して先端係合部２１の見込み方向の移動が規制されているので、把持部材２０は見付け方向にも見込み方向にも移動が規制される。このため、把持部材２０を開口２側から框体１０の外周側へ移動させせるだけで、把持部材２０を容易に、かつ、確実に框体１０に取り付けることが可能である。
【００２７】
また、室外側に突出する把持部側係合部２７が設けられている腕部２５は、先端係合部２１を支点として開口２側が見込み方向に弾性変形可能なので、腕部２５の弾性変形により把持部側係合部２７を見込み方向に移動させることが可能である。このため、腕部２５の先端に設けられた操作部２６を室内側に移動させることにより、開口２側の側壁部１１ｃと把持部側係合部２７との係合を容易に解除することが可能である。
【００２８】
また、開口２側となる内周縁に設けられた収容溝部１２を形成し見付け方向に間隔を隔てて設けられた一対の壁部としての開口２側の側壁部１１ｃと突出壁部１１ｆのうちの外周側に位置する側壁部１１ｃと把持部側係合部２７とが係合し、先端係合部２１が被係合突起１１ｈと係合している。このため、把持部側係合部２７の係合を解除する際に弾性変形する腕部２５の支点となる先端係合部２１と把持部側係合部２７との間隔を最も離れた位置に配置することが可能である。このため、把持部側係合部２７と側壁部１１ｃとの係合量を大きくしつつも、腕部２５の弾性変形により把持部側係合部２７と側壁部１１ｃとの係合を解除することが可能である。
【００２９】
また、網材５及び網戸ロープ６が収容される収容溝部１２における開口側の側壁部１１ｃの先端には、先端の周面に沿って網材５が巻き付けられる。このとき、網材５及び網戸ロープ６が収容される収容溝部１２における開口側の側壁部１１ｃの先端は、先端の周面に沿って網材５が巻き付けられる。また、収容溝部１２における開口２側の側壁部１１ｃの先端は、室内側に膨らむ曲面をなしているので、先端の周面にはエッジ部分が存在しない。このため、網材５が先端の周面に当接されても損傷することを防止することが可能である。また、操作部２６の、収容溝部１２における開口２側の側壁部１１ｃの先端と対向する部位は、収容溝部１２における開口２側の側壁部１１ｃの先端と互いに間隔を隔てているので、通常は操作部２６が網材５に接触する虞はない。また、誤って操作部２６が網材５に接触したとしても、操作部２６の、側壁部１１ｃの先端と対向する部位は室内側に窪む曲面をなしているので、網材５を損傷することを防止することが可能である。
【００３０】
上記実施形態においては、框体を構成する框材が中空部を有していたが、これに限るものではなく、把持部材が係合されて着脱自在に取り付けられる構成であれば中空部を有していなくとも構わない。
【００３１】
上記実施形態においては、把持部材２０の上下の把持部側延出部２４が、網材５から離れる方向に湾曲している形態について説明したが、把持部側延出部は、見付け方向における中央付近から把持部本体側に向かって、網材から離れる方向に直線的に傾斜していてもよく、また、把持部側延出部の中央付近より把持部本体側の部位が網材とほぼ平行をなして網材と間隔を隔てていても良い。
【００３２】
上記実施形態においては、網係止部材を網戸ロープとして説明したが、網係止部材は必ずしもロープ状でなくても良く、例えば、樹脂製の成形部材であって弾性変形して収容溝部に嵌入される形態であっても構わない。
【００３３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３４】
【図１】本実施形態に係る網戸を室内側から見た斜視図である。
【図２】本実施形態に係る網戸の把持部材近傍の水平断面図である。
【図３】框体に把持部材を取り付ける様子を示す斜視図である。
【図４】把持部材が取り付けられる前の框体と把持部材との状態を示す水平断面図である。
【図５】把持部材を取り外す際の操作を説明するための水平断面図である。
【符号の説明】
【００３５】
１  網戸、２  開口、５  網材、６  網戸ロープ、１０  框体、１１ｃ  側壁部、
１１ｆ  突出壁部、１１ｈ  被係合突起、１２  収容溝部、２０  把持部材、
２１  先端係合部、２２  係合部側延出部、２３  把持部本体、２４  把持部側延出部、
２５  腕部、２６  操作部、２７  把持部側係合部
【図１】
2010138603.tif 000003
【図２】
2010138603.tif 000004
【図３】
2010138603.tif 000005
【図４】
2010138603.tif 000006
【図５】
2010138603.tif 000007